(57)【要約】【課題】部品点数を大幅に削減した簡単な構造により、水平方向の回転とチルト角度を調整することができる安価な２軸可動スタンドを提供するものである。【解決手段】円筒ケース２０の内側に、回転プレート２２の間に板バネ２５を介在させて、回転プレート２２の側面エッジ部２６が円筒ケース２０の内周面に摺接して取付けると共に、回転プレート２２の上部両側にチルトブラケット１０を、頭部１５を形成したボルト状のシャフト１６で傾動自在に取付け、シャフト１６の頭部１５とチルトブラケット１０との間にスプリングワッシャ１３を介在させ、回転プレート２２の側面エッジ部２６を板バネ２５の弾性力により円筒ケース２０の内周面に押し付けて水平方向の回転トルクを発生させると共に、チルトブラケット１０をスプリングワッシャ１３の弾性力により回転プレート２２の上部に押し付けてチルト方向の回転トルクを発生させるようにしたものである。【選択図】  図２
2012120062.tif 000002
【特許請求の範囲】
【請求項１】
底部を閉塞した円筒ケースの内側に、２枚の回転プレートを板バネを介在させて、回転プレートの側面エッジ部が前記円筒ケースの内周面に摺接するように、水平方向に回転自在に取付けると共に、前記回転プレートの上部を円筒ケースの上部に突設させ、回転プレートの上部両側に２個のチルトブラケットを、頭部を形成したボルト状のシャフトで前後に傾動自在に取付け、このシャフトの頭部とチルトブラケットとの間、または２枚の回転プレートの上部との間にスプリングワッシャを介在させ、回転プレートの側面エッジ部を板バネの弾性力により円筒ケースの内周面に摺動させて水平方向の回転トルクを発生させると共に、チルトブラケットをスプリングワッシャの弾性力により回転プレートの上部に摺動させてチルト方向の回転トルクを発生させるようにしたことを特徴とする２軸可動スタンド。
【請求項２】
底部を閉塞した円筒ケースの内側に、２枚の回転プレートを板バネを介在させて、回転プレートの下部側の側面エッジ部が前記円筒ケースの内周面に摺接するように、水平方向に回転自在に取付けると共に、前記回転プレートと板バネの上部を円筒ケースの上部に突設させ、板バネを介在させた回転プレートの上部両側に２個のチルトブラケットを、頭部を形成したボルト状のシャフトで前後に傾動自在に取付け、回転プレートの側面エッジ部を板バネの弾性力により円筒ケースの内周面に摺動させて水平方向の回転トルクを発生させると共に、チルトブラケットを板バネの弾性力により回転プレートの上部に摺動させてチルト方向の回転トルクを発生させるようにしたことを特徴とする２軸可動スタンド。
【請求項３】
回転プレートの下部を折曲して支持脚部を形成したことを特徴とする請求項１または２記載の２軸可動スタンド。                                          
【発明の詳細な説明】
【技術分野】
【０００１】
本発明は、液晶テレビやモニターなどを支持して水平方向の回転と前後の傾動を可能にした２軸可動スタンドに関するものである。
【背景技術】
【０００２】
薄型の液晶テレビやパソコンのモニターなどの画面を最適な状態に調整して見ることができるように種々のスタンドが開発されている。例えば支点軸を回転半径の中心として回転するフリクション軸により支持台にブラケットを組みつけ、その上でブラケットを平板を介してモニターに取付けて、支持台をモニタースタンドに取付けることによりモニターの前後の傾動（チルト）を可能にしたスタンドが提案されている（特許文献１）。
【０００３】
しかしながら、この従来のスタンドは前後の傾動角度を調整できるだけで、水平方向の回転角度を調整することができない。小型の液晶テレビやパソコンのモニターなどの水平方向の向きの調整は、液晶テレビやパソコンのモニターを手で持ってその向きを簡単に調整することができるが、大型の液晶テレビはその重量が重く持ち上げて簡単に水平方向の向きを調整することができない。
【０００４】
このため、水平方向の回転とチルト角度を調整することができる２軸可動スタンドが開発されている。これは図１３および図１４に示すように、円筒ケース１の内側に支持円筒２が取付けられ、この上にワッシャ３ａがスプリングワッシャ４を介して上部のワッシャ３ｂが設けられている。更にワッシャ３ｂの上部に水平回転プレート５を介してスペーサー６が設けられ、これと前記ワッシャ３ａの底面との間にシャフト７がカシメ接合されて、水平回転機構８が形成されている。
【０００５】
更に前記スペーサー６の上にはＬ字形のチルトベース９、９が逆Ｔ字形に組合わせて接合されている。またチルトベース９、９の両側に液晶テレビやモニターなどを取付ける逆Ｌ字形のチルトブラケット１０、１０が取付けられ、片側のチルトブラケット１０の外側にはワッシャ１２を介してスプリングワッシャ４が設けられている。また他方側のチルトブラケット１０の外側にはワッシャ１２が設けられ、これらは頭部１５を形成したボルト状のシャフト１６がスプリングワッシャ４側から貫通してカシメ接合され、チルト機構１７が形成されている。
【０００６】
この従来の２軸可動スタンドは、水平回転機構８のワッシャ３ａ、３ｂの間に介在させたスプリングワッシャ４の弾性による反発力が、これと摺接する水平回転プレート５との接触面Ａに作用して、摩擦による回転トルクが発生し、チルトブラケット１０に取付けた液晶テレビやモニターを手で左右に回転させると、所定の位置まで回転して保持される。
【０００７】
またチルトブラケット１０に取付けた液晶テレビやモニターを手で持って前後に傾動させると、チルト機構１７のシャフト１６の頭部１５とワッシャ１２との間に介在させたスプリングワッシャ４の弾性による反発力が、ワッシャ１２と摺接するチルトブラケット１０との接触面Ｂに作用して、摩擦による回転トルクが発生し、液晶テレビやモニターは所定の角度まで傾動して保持される。
【０００８】
このように水平回転機構８とチルト機構１７を組込んだ２軸可動スタンドにより水平方向の回転角度とチルト角度を調整することができる。しかしながらこの構造は、部品点数が２８点にも及び、部品加工や組立に手間がかかり製造コストが高い問題があった。
【先行技術文献】
【特許文献】
【０００９】
【特許文献１】特開２００８−９９０６５
【発明の概要】
【発明が解決しようとする課題】
【００１０】
本発明は上記問題を改善し、部品点数を大幅に削減した簡単な構造により、水平方向の回転角度とチルト角度を調整することができる安価な２軸可動スタンドを提供するものである。
【課題を解決するための手段】
【００１１】
本発明の請求項１記載の２軸可動スタンドは、底部を閉塞した円筒ケースの内側に、２枚の回転プレートを板バネを介在させて、回転プレートの側面エッジ部が前記円筒ケースの内周面に摺接するように、水平方向に回転自在に取付けると共に、前記回転プレートの上部を円筒ケースの上部に突設させ、回転プレートの上部両側に２個のチルトブラケットを、頭部を形成したボルト状のシャフトで前後に傾動自在に取付け、このシャフトの頭部とチルトブラケットとの間、または２枚の回転プレートの上部との間にスプリングワッシャを介在させ、回転プレートの側面エッジ部を板バネの弾性力により円筒ケースの内周面に摺動させて水平方向の回転トルクを発生させると共に、チルトブラケットをスプリングワッシャの弾性力により回転プレートの上部に摺動させてチルト方向の回転トルクを発生させるようにしたことを特徴とするものである。
【００１２】
本発明の請求項２記載の２軸可動スタンドは、底部を閉塞した円筒ケースの内側に、２枚の回転プレートを板バネを介在させて、回転プレートの下部側の側面エッジ部が前記円筒ケースの内周面に摺接するように、水平方向に回転自在に取付けると共に、前記回転プレートと板バネの上部を円筒ケースの上部に突設させ、板バネを介在させた回転プレートの上部両側に２個のチルトブラケットを、頭部を形成したボルト状のシャフトで前後に傾動自在に取付け、回転プレートの側面エッジ部を板バネの弾性力により円筒ケースの内周面に摺動させて水平方向の回転トルクを発生させると共に、チルトブラケットを板バネの弾性力により回転プレートの上部に摺動させてチルト方向の回転トルクを発生させるようにしたことを特徴とするものである。
【００１３】
本発明の請求項３記載の２軸可動スタンドは、請求項１または２において、回転プレートの下部を折曲して支持脚部を形成したことを特徴とするものである。
【発明の効果】
【００１４】
本発明に係る請求項１記載の２軸可動スタンドによれば、水平回転機構はチルトブラケットの上に取付けた液晶テレビやモニターを手で左右に回転させると、２枚の回転プレートが左右に円筒ケース内を回転し、片側の側面エッジ部が円筒ケースの内周面に摺接し、板バネの弾性力により側面エッジ部を円筒ケースの内周面に押し付けて、摩擦による回転トルクが発生し、所定の位置まで水平回転して保持される。
【００１５】
またチルト機構は、液晶テレビやモニターを手で持って前後に傾動させると、シャフトの頭部と片側のチルトブラケットとの間に介在させたスプリングワッシャの弾性による反発力により、チルトブラケットが回転プレートの上部に押し付けられて、摩擦による回転トルクが発生し、重量のある液晶テレビやモニターは所定の角度まで傾動して保持される。このように回転プレートが水平回転機構とチルト機構を共用し、回転プレートの側面エッジ部が円筒ケースの内周面に摺接して摩擦による回転トルクを発生させるようにしたので、所定の角度まで回転、傾動してこの状態を保持できると共に、部品点数を削減して、材料費や部品加工費、組立の手間が削減され製造コストを大幅に低減することができる。
【００１６】
また請求項２記載の２軸可動スタンドによれば、２枚の回転プレートとこの間に介在させた板バネとが、水平回転機構とチルト機構を共用し、１枚の板バネで構成されているので部品点数を更に削減することができる。
【００１７】
また請求項３記載の２軸可動スタンドによれば、回転プレートの下部を折曲して支持脚部を形成したので、重量のある液晶テレビやモニターを支持しながら円筒ケース内を滑らかに回転させることができる。
【発明を実施するための最良の形態】
【００１８】
以下本発明の実施の一形態を図１ないし図９を参照して詳細に説明する。図において２０は底部を閉塞した円筒ケースで、この内側底部に図２に示す滑りプレート２１が取付けられている。２２は円筒ケース２０内に縦方向に取付けられた２枚の回転プレートで、これは図５に示すように下部を折曲してＬ字形に形成され、この折曲した部分が前記滑りプレート２１の上を摺動する支持脚部２３となっている。更にこの回転プレート２２の上部は幅が狭く形成され、ここにシャフト貫通孔２４が開孔されている。
【００１９】
２枚の回転プレート２２、２２の間には図６に示す波形の板バネ２５が介在されている。この板バネ２５の弾性力により、図７に示すように２枚の回転プレート２２、２２は、片側の側面エッジ部２６が前記円筒ケース２０の内周面に摺接するように、水平方向に回転自在に取付けられ、板バネ２５の弾性力が接触面Ａに作用して、摩擦による回転トルクが発生する水平回転機構８が形成されている。
【００２０】
前記円筒ケース２０の上部には図１に示すようにキャップ２７がカシメ接合され、このキャップ２７は図８に示すように中央部に回転プレート２２の幅が狭い上部が貫通する両側に広がった鼓状の貫通孔２８が開孔され、この範囲で回転プレート２２が水平方向に回転するようになっている。また２枚の回転プレート２２の幅が狭い上部の間には図２に示すようにワッシャ１２が介在されて一体に接合されている。
【００２１】
更に２枚の回転プレート２２の上部両側には、液晶テレビやモニターなどを取付けるコ字形のチルトブラケット１０、１０が取付けられ、片側のチルトブラケット１０の外側には図９に示すスプリングワッシャ１３が設けられている。チルトブラケット１０の中間にはシャフト貫通孔２４が開孔されている。頭部１５を形成したボルト状のシャフト１６が、スプリングワッシャ１３側からチルトブラケット１０側までシャフト貫通孔２４を貫通してカシメ接合され、チルト機構１７が形成されている。なお図２においてベース取付部２９は図示しないベースに円筒ケース２０を取付ける取付部である。
【００２２】
上記構成の２軸可動スタンドは、図示しないベースにベース取付部２９を取付けると共に、チルトブラケット１０、１０の上に液晶テレビやモニターを取付ける。液晶テレビやモニターを手で左右に回転させると、チルトブラケット１０、１０の間に介在させた２枚の回転プレート２２、２２が図８に示すキャップ２７の貫通孔２８の範囲内で左右に回転する。この回転プレート２２、２２が円筒ケース２０内を回転すると、図７に示すように板バネ２５の弾性力により側面エッジ部（接触部Ａ）２６が円筒ケース２０の内周面に押し付けられて、摩擦による回転トルクが発生し、所定の位置まで回転して保持される。
【００２３】
またチルトブラケット１０に取付けた液晶テレビやモニターを手で持って前後に傾動させると、図２に示すチルト機構１７のシャフト１６の頭部１５と片側のチルトブラケット１０との間に介在させたスプリングワッシャ１３の弾性による反発力により、チルトブラケット１０が回転プレート２２の上部の接触面Ｂに押し付けられて、摩擦による回転トルクが発生し、重量のある液晶テレビやモニターは所定の角度まで傾動して保持される。
【００２４】
このように水平回転機構８とチルト機構１７を組込んだ２軸可動スタンドにより水平方向の回転角度とチルト角度を調整し、重量のある液晶テレビやモニターを保持することができる。また本発明の２軸可動スタンドは、部品点数が１４点であり、図１４に示す従来の構造が２８点のものに比べて部品点数が半減でき、材料費や部品加工費、組立の手間が削減され製造コストを大幅に低減することができる。
【００２５】
図１０は本発明の他の実施の形態を示すもので、水平回転機構８は図２と同様なのでその説明を省略する。チルト機構１７は、２枚の回転プレート２２、２２の上部の間に、図９に示すスプリングワッシャ１３を介在させ、回転プレート２２、２２の上部両側には、液晶テレビやモニターを取付けるコ字形のチルトブラケット１０、１０が取付けられている。頭部１５を形成したボルト状のシャフト１６が、片側のチルトブラケット１０側から反対側のチルトブラケット１０まで、シャフト貫通孔２４を順次貫通してカシメ接合されている。
【００２６】
上記構成をなす２軸可動スタンドの水平回転機構８は図８と同様に、２枚の回転プレート２２、２２がキャップ２７の鼓状の貫通孔２８の範囲内で左右に円筒ケース２０内を回転し、片側の側面エッジ部２６が円筒ケース２０の内周に摺接し、板バネ２５の弾性力により側面エッジ部（接触部Ａ）２６が押し付けられて、摩擦による回転トルクが発生し、所定の位置まで回転して保持される。
【００２７】
またチルトブラケット１０に取付けた液晶テレビやモニターを手で持って前後に傾動させると、チルト機構１７の回転プレート２２、２２の間に介在させたスプリングワッシャ１３の弾性による反発力により、回転プレート２２の上部がチルトブラケット１０との接触面Ｂに押し付けられて、摩擦による回転トルクが発生し、重量のある液晶テレビやモニターは所定の角度まで傾動して保持される。
【００２８】
図１１は本発明の異なる他の実施の形態を示すもので、板バネ３０は図１２に示すように、上部の幅が狭く形成され図５の回転プレート２２とほぼ同形状に形成されている。チルト機構１７は、２枚の回転プレート２２、２２の間に、板バネ３０の上部が介在され、回転プレート２２、２２の上部両側には、コ字形のチルトブラケット１０、１０が取付けられ、ボルト状のシャフト１６がワッシャ１２側からシャフト貫通孔２４を順次貫通してカシメ接合されている。
【００２９】
上記構成の２軸可動スタンドの水平回転機構８の作用は、上記説明と同様に回転プレート２２の側面エッジ部２６と円筒ケース２０の内周面との摩擦による回転トルクが発生し、所定の位置まで回転して保持される。またチルトブラケット１０に取付けた液晶テレビやモニターを手で持って前後に傾動させると、チルト機構１７の回転プレート２２、２２の間に介在させた板バネ３０の上部の弾性による反発力により、回転プレート２２の上部が、これと摺接するチルトブラケット１０に押し付けられて、接触面Ｂで摩擦による回転トルクが発生し、重量のある液晶テレビやモニターは所定の角度まで傾動して保持される。この構造では、ワッシャ１２とスプリングワッシャ１３が不要となり１枚の板バネ３０で済み、部品点数を削減することができる。
【００３０】
なお上記説明では、回転プレート２２の下部を折曲して支持脚部２３を形成した構造について示したが、回転プレート２２が円筒ケース２０内を回転できれば他の構造でも良い。また液晶テレビやモニターを支持する場合について説明したが、他の電子機器などを支持する場合にも適用することができる。
【図面の簡単な説明】
【００３１】
【図１】本発明の実施の一形態による２軸可動スタンドの斜視図である。
【図２】図１に示す２軸可動スタンドの縦断正面図である。
【図３】図２に示す２軸可動スタンドの正面図である。
【図４】図２に示す２軸可動スタンドの側面図である。
【図５】図２の回転プレートを示す斜視図である。
【図６】図２の板バネを示す斜視図である。
【図７】図２の水平回転機構を示す水平断面図である。
【図８】図２の円筒ケースの上部に取付けるキャップを示す斜視図である。
【図９】図２のスプリングワッシャを示す斜視図である。
【図１０】本発明の他の実施の形態による２軸可動スタンドの縦断正面図である。
【図１１】本発明の異なる他の実施の形態による２軸可動スタンドの縦断正面図である。
【図１２】図１１の板バネを示す斜視図である。
【図１３】従来の２軸可動スタンドを示す斜視図である。
【図１４】図１３の縦断正面図である。
【符号の説明】
【００３２】
１    円筒ケース                                            
２    支持円筒                                              
３ａ、３ｂ  ワッシャ                                        
４    スプリングワッシャ                                    
５    水平回転プレート                                      
６    スペーサー                                            
７    シャフト                                              
８    水平回転機構                                          
９    チルトベース                                          
１０  チルトブラケット                                      
１２  ワッシャ                                              
１３  スプリングワッシャ                                    
１５  頭部                                                  
１６  シャフト                                              
１７  チルト機構                                            
２０  円筒ケース                                            
２１  滑りプレート                                          
２２  回転プレート                                          
２３  支持脚部                                              
２４  シャフト貫通孔                                        
２５  板バネ                                                
２６  側面エッジ部                                          
２７  キャップ                                              
２８  貫通孔                                                
２９  ベース取付部                                          
３０  板バネ                                                
【図１】
2012120062.tif 000003
【図２】
2012120062.tif 000004
【図３】
2012120062.tif 000005
【図４】
2012120062.tif 000006
【図５】
2012120062.tif 000007
【図６】
2012120062.tif 000008
【図７】
2012120062.tif 000009
【図８】
2012120062.tif 000010
【図９】
2012120062.tif 000011
【図１０】
2012120062.tif 000012
【図１１】
2012120062.tif 000013
【図１２】
2012120062.tif 000014
【図１３】
2012120062.tif 000015
【図１４】
2012120062.tif 000016